(57)【要約】【課題】施工性が高とともに安全かつ迅速に作業でき、しかも手摺部分の模様替えなどのメンテナンスも容易になしうる階段手摺構造を提供する。【解決手段】段板の一側に配されて、上縁に階段勾配に合う傾斜部を有する手摺下壁部と、この手摺下壁部の上方に配されて、階段勾配に合わせて傾斜する手摺かさ木と、手摺下壁部の傾斜部、及び手摺かさ木の間に設けられるとともにその下部が下係合手段により傾斜部に取り付けられる平行四辺形状をなす手摺パネルとを具え、前記下係合手段は、前記傾斜部に形成されるとともに、上部両側において互いに内側へ小さくのびるフランジを有した受け溝と、この受け溝に向って手摺パネル下端面から垂下するとともにその下端部に周囲に張り出した鍔部を有し、かつ受け溝に係合する凸片とからなることを特徴とする。【選択図】図１
2007284916.tif 000002
【特許請求の範囲】
【請求項１】
段板の一側に配されて、上縁に階段勾配に合う傾斜部を有する手摺下壁部と、この手摺下壁部の上方に配されて、階段勾配に合わせて傾斜する手摺かさ木と、手摺下壁部の傾斜部、及び手摺かさ木の間に設けられるとともにその下部が下係合手段により傾斜部に取り付けられる平行四辺形状をなす手摺パネルとを具え、
前記下係合手段は、前記傾斜部に形成されるとともに、上部両側において互いに内側へ小さくのびるフランジを有した受け溝と、この受け溝に向って手摺パネル下端面から垂下するとともにその下端部に周囲に張り出した鍔部を有し、かつ受け溝に係合する凸片とからなることを特徴とする階段手摺構造。
【請求項２】
前記受け溝は、傾斜方向の上端に前記フランジを切欠した大径の受入口を有し、
前記凸片の鍔部は、この受入口を介して受け溝の奥部へ挿入されるとともに、受け溝内で傾斜方向の下方へ移動した位置においてはフランジに当接して抜け防止されることを特徴とする請求項１記載の階段手摺構造。
【請求項３】
前記手摺パネルは、その上部が上係合手段により手摺かさ木に取付けられ、
前記上係合手段は、前記手摺かさ木の下面に設けられた受け穴と、手摺パネルの上端面から前記受け穴に向かって垂直に立ち上がり、かつ受け穴に挿入して係合するピンとからなることを特徴とする請求項１又は２記載の階段手摺構造。
【発明の詳細な説明】
【技術分野】
【０００１】
本発明は、住宅、ケアーハウス或いはグループホームなどの福祉施設、ホテル或いは旅館など宿泊施設、事務所オフィス或いは店舗など商業施設、学校、図書館或いは公民館など公共施設、その他二階建て以上の建築物において昇降のために設けられる屋内階段の手摺の構造に関する。
【背景技術】
【０００２】
従来より、内部空間を広く形成するなどのため、吹き抜けの空間に面して階段を配置するプランが多用され、このような構造にあっては階段の一側に、手摺高さに立ち上がる壁状の手摺が形成される。そして、この種の階段手摺の多くは、段板部分を含む階段本体部と一体の手摺壁が現場施工によって構築されている。
【０００３】
そして近年は建築の工業化に伴ない、手摺部分を構成する手摺パネルを予め工場で加工生産して、施工現場ではこれを固着するだけで手摺を構築できる所謂パネル工法が提案されている（例えば、特許文献１参照）。
【０００４】
【特許文献１】特開２０００−２２０２７１号公報
【発明の開示】
【発明が解決しようとする課題】
【０００５】
前記パネル工法を採用すると、工事の作業内容の標準化を図ることにより、全体としての工期を大巾に短縮できるとともに仕上がりにバラツキの少ない優れた施工品質が達成できる。しかしながら、手摺壁全体をパネル化することから、部材が大型化して重量が嵩むとため、製造、物流の作業性が悪く、特にスペースが狭い建築現場での荷扱いが非常に困難になる。しかも高所の階段において手摺パネルを位置決めしながら固着する作業は、施工作業者に負荷がかかり労働障害を発生する恐れもある。
【０００６】
本発明は、手摺下壁部の傾斜部と手摺かさ木との間に、平行四辺形状をなす手摺パネルを配置するとともに、下係合手段により傾斜部に取り付けることを基本とし、施工性が高とともに安全かつ迅速に作業でき、しかも手摺部分の模様替えなどのメンテナンスも容易になしうる階段手摺構造の提供を課題としている。
【課題を解決するための手段】
【０００７】
前記目的を達成するために、請求項１に係る発明では、段板の一側に配されて、上縁に階段勾配に合う傾斜部を有する手摺下壁部と、この手摺下壁部の上方に配されて、階段勾配に合わせて傾斜する手摺かさ木と、手摺下壁部の傾斜部、及び手摺かさ木の間に設けられるとともにその下部が下係合手段により傾斜部に取り付けられる平行四辺形状をなす手摺パネルとを具え、前記下係合手段は、前記傾斜部に形成されるとともに、上部両側において互いに内側へ小さくのびるフランジを有した受け溝と、この受け溝に向って手摺パネル下端面から垂下するとともにその下端部に周囲に張り出した鍔部を有し、かつ受け溝に係合する凸片とからなることを特徴とする。
【０００８】
請求項２に係る発明では、前記受け溝は、傾斜方向の上端に前記フランジを切欠した大径の受入口を有し、前記凸片の鍔部は、この受入口を介して受け溝の奥部へ挿入されるとともに、受け溝内で傾斜方向の下方へ移動した位置においてはフランジに当接して抜け防止され、請求項３に係る発明において、前記手摺パネルは、その上部が上係合手段により手摺かさ木に取付けられ、前記上係合手段は、前記手摺かさ木の下面に設けられた受け穴と、手摺パネルの上端面から前記受け穴に向かって垂直に立ち上がり、かつ受け穴に挿入して係合するピンとからなることを特徴とする。
【発明の効果】
【０００９】
請求項１に係る発明においては、上縁に階段勾配に合う傾斜部を有する手摺下壁部と、上方に配される手摺かさ木と、手摺下壁部及び手摺かさ木の間に設けられる手摺パネルとに分けて構成するため、各々の部材が軽量化されることから、物流を始め、特に手狭な建築現場での荷扱いがやり易く、施工性が向上するとともに、上階へもチェーンブロックなど荷役揚重機器を用いることなくスムースに搬入でき、又工事作業者に腰痛などの労働障害を生じることもなくなる。
【００１０】
さらに手摺下壁部の上面で傾斜方向に沿う受け溝に、手摺パネル下端面から垂下するとともにその下端部に周囲に張り出した鍔部を有する凸片を係合して、手摺パネル下部を取り付けることから、締め付けなどの作業が不要であるため、施工性に優れるとともに、傾斜して踏ん張りにくい足場であっても安全に作業できる。同時に、互いに内側へ小さくのびるフランジを有して傾斜方向に沿って形成された受け溝に、鍔部を有する凸片を係合する構造であることから、手摺パネルの下部は確実に固着されるため、階段を昇降する人に体重がかかったり、地震振動を受けても安定した強度で取り付けできる。しかも係合手段を構成する凸片を、受け溝から上に抜きだすことにより、手摺パネルを簡単な操作により取り外すことができることから、破損時のメンテナンス、或いはリフォームにおける模様替えなどが簡単に行なえる。
【００１１】
請求項２に係る発明では、受け溝に傾斜方向の上端に受入口を設け、この受入口を介して、鍔部を受け溝の奥部へ挿入するとともに受け溝内で傾斜方向の下方へ移動させてフランジに当接し抜け防止するように構成すると、手摺パネルはその重量によって確実に固着されて、多少の振動、外力が負荷しても外れることがない。しかも、受け溝に沿って凸片を傾斜下方へスライドさせるだけで、手摺パネルの取り付けが行なえるため、施工性に優れる。逆に手摺パネルを傾斜上方へスライドさせるとともに、受入口から鍔部を持上げると、簡単な操作によって手摺パネルを外すこともできる。
【００１２】
請求項３に係る発明では、手摺かさ木の下面の受け穴に、手摺パネルの上端面から垂直に立ち上がる係合するピンを挿入係合して、手摺パネルの上部を取り付けると、簡単な施工によって確実に手摺パネルの上部が固定されることから、前記凸片による下部の固定と相俟って、手摺パネルを安定して固定できる。
【発明を実施するための最良の形態】
【００１３】
以下、本発明の実施の一形態を、図示例とともに説明する。図１に示すように、階段手摺構造１は、複数枚が上下に等間隔で並ぶ段板２を含み構成された階段本体部２１の側部に設けた手摺下壁部４と、この手摺下壁部４の上方に配された手摺かさ木５と、手摺下壁部４と手摺かさ木５の間に取付けられる手摺パネル７とを具える。
【００１４】
前記階段本体部２１は、本形態では、１、２階を繋ぎ、上位に９段、下位に２段の段板２を隔設するとともに、上位、下位の段板２の中間に昇降方向を９０度転換する踊り場２２を設けて構成され、吹き抜け空間を囲む形に平面視Ｌ字状に構成された矩折れ階段を例示している。この階段本体部２１は、両側で平行に向き合い、かつ階段勾配と同角度で傾いて配置された一対の側桁２３、２３と、その間に架け渡された複数の段板２とからなる。前記段板２は、その奥行き寸法である踏み面寸法が２００〜３００ｍｍ程度に形成され、一段の段差は１５０〜２３０ｍｍ程度に配置される。階段本体部２１はこのほか、直進階段、折り返し階段、回り階段などの形で構成してもよい。
【００１５】
前記手摺下壁部４は、図２に示すように、前記階段本体部２１の一方の側桁２３の外側に沿って配され、本形態では１階の床面Ｆまで延長して構成されている。更に本形態の手摺下壁部４は、縦フレーム材、横フレーム材を台形状に枠組みした外周枠２４の内側に補強桟を架け渡し形成された木製のパネルフレームの両側に、化粧板２５を貼着したフラッシュパネル２６を用いたものが例示される。このようにして形成された手摺下壁部４の上端面には、図２に示すように、長尺薄板状の化粧覆板２７が取付けられ、この化粧覆板２７によって、階段勾配と同じ角度で傾く傾斜部３が形成される。
【００１６】
さらに前記化粧覆板２７の上面には、図９に示すように、手摺下壁部４の上面の傾斜方向に沿ってのびる受け溝９が形成される。そしてこの受け溝９は、その上部両側が互いに内側へ小さくのびたフランジ８を有し、その結果下側が幅広の断面形状に形成される。本形態の受け溝９には、傾斜方向の上端部に、前記フランジ８を切欠して構成した大径の受入口１２が形成される。この化粧覆板２７は、杉、松、樅、栂などの針葉樹、およびナラ、チーク、ラワンなどの広葉樹を含む無垢木材、或いはリサイクル木粉にポリプロピレン樹脂、ポリエチレン樹脂などを配合して押出、射出成形した人工木材を用いて形成される。
【００１７】
前記手摺かさ木５は、図１に示すように、棒状をなすとともに、前記手摺下壁部４の上方で、階段勾配と同じ角度で傾いて配される。さらに本形態の手摺かさ木５は、階段上端部において２階の床面に立設された上袖壁２８の上端部と、階段の曲がり角において前記踊り場２２に立設された踊り場袖壁２９の上端部との間に架け渡される。また本形態の手摺かさ木５は、図３、５に示すように、上が開口する断面横コ字状の基枠３０と、この基枠３０に上から挿入される断面矩形状の中枠３１と、基枠３０及び中枠３１の上を覆う長尺薄板状の上化粧材３２とからなる。さらに本形態では、図８に示すように、前記基枠３０のウェブ中央部から中枠３１内部に連続する受け穴１４が形成される。
【００１８】
前記基枠３０は、炭素鋼、ステンレス鋼、合金鋼を含む鉄鋼材料、或いはアルミニウム、真鍮、銅、チタンなどの金属材料を用いて溝型状に成形された基枠本体３０Ａの内面を、擦れ防止用にポリエチレン樹脂、ポリプロピレン樹脂、ポリスチレン樹脂、フェノール樹脂、不飽和ポリエステル樹脂などのプラスチック材料製のシート材３０Ｂで被覆して構成される。そして前記中枠３１及び上化粧材３２は、木材などが用いられ、基枠３０及び中枠３１に重ねるとともに、接着剤、ビスなどの固着具を用いて一体化している。
【００１９】
本形態において、手摺かさ木５の傾斜上端部には、図６に示すように、基枠３０のウェブが一旦上方へ垂直に折れ曲がった上垂直片３４が形成されるとともに、この上垂直片３４の上端部から水平に小幅でのびた上挿入片３５が形成される。そしてこの上挿入片３５を、前記上袖壁２８に形成されたスリット３６に挿入するとともに、前記上垂直片３４に挿入したビスを上袖壁２８の側面に打ち込んで手摺かさ木５の傾斜上端部を固着している。
【００２０】
他方手摺かさ木５の傾斜下端部は、図７に示すように、基枠３０のウェブに基板３７を固着するとともに、この基板３７から中折れ片３８を介してのびる先折れ片３９が形成される。そしてこの中折れ片３８を、前記踊り場袖壁２９の上端内角部の斜め溝４０に挿入するとともに、先折れ片３９に挿入したビスを踊り場袖壁２９の上面に打ち込んで、手摺かさ木５の傾斜下端部を固着している。
【００２１】
前記手摺パネル７は、図１、５に示すように、平行四辺形状をなすとともに、前記手摺かさ木５と手摺下壁部４との間に取付けられる。また本形態の手摺パネル７は、高さ違いに並ぶ垂直な側枠４１、４１、及びこの側枠４１、４１の上下の端部間に架け渡された傾斜する上枠４２、下枠４３を枠組みして構成された平行四辺形状の手摺パネル枠４４と、この手摺パネル枠４４の内側に取付けられた化粧板４５とからなる。本形態の側枠４１は、図１１に示すように、断面楕円形状のアルミ押し出し成形材を用い、他方上枠４２、下枠４３は図１０に示すように、断面矩形状のアルミ押し出し成形材を用い、各々コーナー部を樹脂製の接続部品（図示せず）を用いて連結することにより前記手摺パネル枠４４を形成している。
【００２２】
前記化粧板４５は、平行四辺形状をなし、グレチャン４６を介して前記手摺パネル枠４４の内側に嵌め込んで取付けられる。また化粧板４５は型板ガラス板、合わせガラス板、プラスチック板、パンチングメタル、アルミ板、ステンレス板などの意匠性に優れる板材が使用される。更にこの化粧板４５は、表面に各種の装飾模様を付すと、意匠性を一層高めることができる点で好ましい。
【００２３】
前記手摺パネル７は、図９、１０に示すように、前記下枠４３から垂下する凸片１１が形成される。この凸片１１は、短寸の丸棒状をなし、その下端部には周囲に小さく張り出した鍔部１０が一体に形成される。しかして凸片１１は、図４に示すように、前記手摺下壁部４の傾斜部３（化粧覆板２７）に形成された受け溝９内に挿入されるとともに、前記鍔部１０が受け溝９のフランジ８に係合することにより抜け止めされるため、手摺パネル７が手摺下壁部４の上部に強固に取り付けできる。このように、手摺下壁部４の受け溝９と手摺パネル７の凸片１１とによって、手摺パネル７を固着する下係合手段６が構成される。
【００２４】
なお、前記下係合手段６を用いて、手摺パネル７の下部を固定するに際には、手摺パネル７を降下させてることによって、凸片１１下端部の鍔部１０が手摺下壁部４の傾斜部３（化粧覆板２７）の受け溝９に形成された受入口１２を通って、受け溝９の内部へと挿入される。次いで手摺パネル７を傾斜下方へ少し移動させると、鍔部１０が受入口１２の位置から傾斜下方へ向いてずれることにより、受け溝９のフランジ８の下の位置へと移動し、その結果鍔部１０がフランジ８に当接して抜け止めされることから手摺パネル７が確り固定される。
【００２５】
このように手摺パネル７の下部は、ビスの締め付け作業などの固着のための作業が不要であるため、施工性に優れ、従って階段のように足場が傾斜して踏ん張りの効きにくい不安定な状況であっても安全に作業できる。しかも、フランジ８を有して傾斜する受け溝９の中に、先端に鍔部１０を設けた凸片１１を挿入し、この凸片１１をさらに受け溝９内で傾斜下方へ少しスライドさせる動作により、鍔部１０がフランジ８に係合して手摺パネル７の下部を強力に固定するため、使用者の体重が寄りかかったり、地震振動が負荷しても外れることなく安定して取り付けできる。さらに凸片１１を受け溝９内を移動させるため手摺パネル７を少しスライドさせる操作だけで取り付けが完了することから、施工能率に優れるとともに安全性を一層向上しうる。
【００２６】
また手摺パネル７を傾斜上方へスライドするとともに、受け溝９内部の凸片１１を、受入口１２を通して上に引き上げることにより、簡単に手摺パネル７を取り外すことができる。そのため、破損時のメンテナンス、或いはリフォームにおける模様替えなども簡単に行なえる。しかも本形態では、受け溝９に傾斜方向上端に設けた大径の受入口１２を通して、凸片１１の鍔部１０を受け溝９に出し入れ操作することから、手摺パネル７の取り付け、取外しの作業性が一層向上する点で好ましい。
【００２７】
また手摺パネル７は、図８、１０に示すように、前記上枠４２から短く上にのびるピン１５が形成される。そして、このピン１５は手摺かさ木５の受け穴１４に対して上下に向き合って配置されている。従って前記のように手摺下壁部４の傾斜部３に固着された手摺パネル７の上に手摺かさ木５が架け渡されると、図３に示すように、受け穴１４にピン１５が挿入して係合することから手摺パネル７の上部が支持され、その結果手摺パネル７は上、下において手摺かさ木５、手摺下壁部４に固定されるため、簡単な施工によって安定した固定状態が得られる。なお、前記受け穴１４とピン１５とで上係合手段１３が形成される。
【００２８】
このうようにして構成された階段手摺構造１は、上縁に傾斜部３を有する手摺下壁部４と、上方に配される手摺かさ木５と、手摺下壁部４及び手摺かさ木５の間に配される手摺パネル７とに分割して構成されるため、部材が軽量化されることから、製造、物流、及び工事の過程で搬送を含んだ一連の作業負担が軽減できて、効率化しうる。特に手狭でかつ足場が必ずしも良くない施工現場では、荷扱いがやり易くなることにより、工事の能率を高める効果が顕著にあらわれる。加えて、階段周辺の狭い、しかも勾配のある足場上で、不自然な姿勢によって部材を保持しつつ、取付けなどの作業を繰り返す施工作業者に対する負荷を軽減でき、腰痛を始めとする労働障害を防止することができる。また上階への搬入作業も、チェーンブロックなどの機器を使用することなく、スムースに行なうことができる。
【００２９】
尚、叙上の説明は本発明の実施の形態を例示したものである。従って本発明の技術的範囲はこれに何ら限定されるものではなく、前記した実施の形態の他にも、各種の変形例が含まれる。
【図面の簡単な説明】
【００３０】
【図１】本発明の一実施の形態を例示する正面図である。
【図２】そのＡ−Ａ断面図である。
【図３】その一要部の拡大図である。
【図４】その他の要部の拡大図である。
【図５】その分解斜視図である。
【図６】手摺かさ木の上部の要部拡大図である。
【図７】手摺かさ木の下部の要部拡大図である。
【図８】手摺かさ木の中間部の要部拡大図である。
【図９】手摺パネル下部の要部拡大図である。
【図１０】手摺パネルの縦断面図である。
【図１１】手摺パネルの横断面図である。
【符号の説明】
【００３１】
１      階段手摺構造
２      段板
３      傾斜部
４      手摺下壁部
５      手摺かさ木
６      下係合手段
７      手摺パネル
８      フランジ
９      受け溝
１０      鍔部
１１      凸片
１２      受入口
１３      上係合手段
１４      受け穴
１５      ピン
【図１】
2007284916.tif 000003
【図２】
2007284916.tif 000004
【図３】
2007284916.tif 000005
【図４】
2007284916.tif 000006
【図５】
2007284916.tif 000007
【図６】
2007284916.tif 000008
【図７】
2007284916.tif 000009
【図８】
2007284916.tif 000010
【図９】
2007284916.tif 000011
【図１０】
2007284916.tif 000012
【図１１】
2007284916.tif 000013